(57)【特許請求の範囲】
【請求項１】
バーコードが貼付された採尿カップに収容された患者の尿の量及び比重を測定するための尿測定装置であって、重量検出器及び非接触型液面高さ測定器を測定収納室に備え、更に患者コード入力手段としてのバーコードリーダーと、表示部と、前記非接触型液面高さ測定器で測定された液面高さ及び採尿カップの内径面積に基づいて尿量を算出し、前記重量検出器で測定された重量と採尿カップの重量との差及び前記尿量に基づいて尿比重を算出して記憶するマイクロコンピュータとを備えた尿測定子器の複数個と、この複数個の尿測定子器と通信回線により接続され、患者別の各尿量及び尿比重のデータを読み出すコンピュータである尿測定親機とにより構成され、前記マイクロコンピュータは、前記通信回線を介して前記尿測定親機から患者コードと患者氏名とが対応付けられたデータ、前記採尿カップの内径面積及び重量を登録し、前記バーコードリーダーによって前記採尿カップに貼付されたバーコードを読み取ることにより患者コードが入力されたときに、前記表示部に患者氏名を表示するとともに、採尿カップに送風するファンの駆動を開始させることを特徴とする尿測定装置。
【請求項２】
前記マイクロコンピュータは、患者毎に時系列的に測定された所定の複数回数分のデータを記憶可能であり、新たにデータが測定されたとき、最も古いデータを消去して最新のデータを記憶することを特徴とする請求項１記載の尿測定装置。
【請求項３】
尿測定親機は、所定時間毎に各尿測定子器から測定されたデータを取り込むことを特徴とする請求項１または請求項２記載の尿測定装置。
【請求項４】
尿測定親機は、各尿測定子器に新たなデータが蓄積されたときに、各尿測定子器から測定されたデータを取り込むことを特徴とする請求項１または請求項２記載の尿測定装置。
【発明の詳細な説明】
【０００１】
【発明の属する技術分野】
本発明は、入院患者などの尿量や尿比重を測定する装置に関するものである。
【０００２】
【従来の技術】
疾病の診断や手術後の経過監視に際し、尿検査は比較的簡単であり、且つ、重要な検査とされている。
この尿検査に際し、旧来は、１ヶ所に検査装置が設置され、患者は１病棟に１ヶ所又は数ヶ所とされる洗面所などで採尿容器に採尿し、看護婦などの人手により検査装置を設置した検査室に移送して検査を実行していた。
【０００３】
しかし、近年、１病棟に１ヶ所でなく、各病室にも洗面所などが設けられ、採尿および検査も自動化により看護婦などの人手による労力を軽減することが図られるようになってきた。このような自動化による検尿装置としては、ナースセンターなどの中央処理室に検尿装置の本体を設置し、重量センサーや比重測定センサーを設けた測定箱を各病室に設置することにより、採尿や検尿は各病室の洗面所で患者が行い、重量センサーや比重測定センサーによる測定データを中央処理室で集中管理するもの（例えば特開平７−３３３２２１号）や、各病室の洗面所に小形の検尿装置を設置し、通信手段により各病室の検尿装置から検査データを中央管理装置に送信し、ナースセンターなどの中央処理室で検査データを集中管理するもの（例えば特開平１０−９０２５９号）などが提案されている。
【０００４】
【発明が解決しようとする課題】
前述のように、検査装置の本体を中央処理室に設け、センサー類を各病室に設置する検尿装置では、装置本体とセンサーとの距離が遠い場合、正確な検査データを収集することが困難になる場合があった。
又、各病室に小形の検尿装置を設置し、各検尿装置で検査した種々のデータを中央管理装置に送信するシステムは、病室数が多い場合、設置コストが高く、又、システム全体が複雑となって保守が困難となることも合った。
【０００５】
本発明は、このような欠点を排除し、尿検査の内、検査回数が多いために手数と労力とを必要とする尿量と尿比重の検査のみを簡便に行う子機を多数個設けたシステムを提供するものである。
【０００６】
【課題を解決するための手段】
本発明は、バーコードが貼付された採尿カップに収容された患者の尿の量及び比重を測定するための尿測定装置であって、重量検出器（３１）及び非接触型液面高さ測定器（３５）を測定収納室（２７）に備え、更に患者コード入力手段としてのバーコードリーダーと、表示部と、非接触型液面高さ測定器で測定された液面高さ及び採尿カップの内径面積に基づいて尿量を算出し、重量検出器で測定された重量と採尿カップの重量との差及び尿量に基づいて尿比重を算出して記憶するマイクロコンピュータ（４１）とを備えた尿測定子器（２１）の複数個と、この複数個の尿測定子器（２１）と通信回線により接続され、患者別の各尿量及び尿比重のデータを読み出すコンピュータである尿測定親機（１５）とにより構成され、マイクロコンピュータは、通信回線を介して尿測定親機から患者コードと患者氏名とが対応付けられたデータ、採尿カップの内径面積及び重量を登録し、バーコードリーダーによって採尿カップに貼付されたバーコードを読み取ることにより患者コードが入力されたときに、表示部に患者氏名を表示するとともに、採尿カップに送風するファンの駆動を開始させることを特徴とする尿測定装置（１０）とする。
【０００７】
このように、重量検出器（31）と液面高さ測定器（35）とを備えているため、尿重量と容器内の尿の液面高さとを検出することができ、一定の容器を使用することによって尿の容量を算出し、更に比重を算出することができる。又、この液面高さ測定器（35）は非接触型液面高さ測定器（35）を使用するため、尿水に直接接触すること無く測定を行うことができ、衛生的且つ保守の容易な測定装置とすることができる。
【０００８】
そして、重量検出器（31）及び非接触型液面高さ測定器（35）とマイクロコンピュータ（41）とを備えた尿測定子機（21）で測定を行うため、正確な測定が可能であり、測定データを尿測定親機（15）に移送するため、データに種々の加工を行うことも容易に可能となる。
【０００９】
【発明の実施の形態】
本発明にかかる尿測定装置10は、図１に示すように、１台の尿測定親機15と、この尿測定親機15に通信回線によって接続される複数台の尿測定子機21とによって形成するものである。
この尿測定親機15は、コンピュータ及び周辺機としてのキーボードやプリンター及びディスプレイなどで構成する。
【００１０】
又、尿測定子機21は、図２に示すように、正面には開閉扉23と液晶などを用いた表示部25とを有し、開閉扉23の内側には、図３に示すように、測定収納室27を形成している。
この測定収納室27は、採尿カップである容器を収納し得る空間であり、測定収納室27の下面には、台座部33を形成し、重量検出器31を設け、台座部33に載置する容器の重量を計測することができるようにしている。
【００１１】
又、この測定収納室27の上面には、非接触型液面高さ測定器35として超音波液面計を設け、採尿カップ内の液面高さを測定し得るようにすると共に、ファン57を設け、液面に風を送って泡を消すことができるようにしている。更に、測定収納室27の側面には、患者コード入力手段としてのバーコードリーダー37を設けている。
【００１２】
そして、この尿測定子機21は、通信ケーブル43で尿測定親機15に接続されるマイクロコンピュータ41や、商用電源に電源線53で接続され、マイクロコンピュータ41やモータ55、表示部25の液晶表示装置などに電力を供給する電源部51を有する。
又、マイクロコンピュータ41は、台座部33に採尿カップが載置されたとき、バーコードリーダー37により容器とされた採尿カップの側面に添貼されたシールのバーコードを読み取り、バーコードに対応した氏名を表示部25に表示すると共にモータ55によりファン57の駆動を開始する。
【００１３】
更に、ファン57の駆動停止後、重量検出器31からの重量値を読み込み、且つ、超音波液面計によって測定した容器内の液面高さの値を読み込む。
そして、超音波液面計で測定した液面高さに基づき、尿量の算出を行う。
この尿量の算出は、台座部33から超音波液面計までの高さＨと超音波液面計により測定した超音波液面計から容器内の尿水の水面高さまでの距離ｈとにより、尿液の深さｈxを求め、採尿カップである容器の内径面積Ｓに基づいて尿量Ｖを算出するものである。
【００１４】
即ち、採尿カップの面積Ｓを高さＨから距離ｈを引いた値まで積分することにより尿量が算出される。尚、面積Ｓが一定値であれば、面積Ｓに深さｈxを掛けることによっても算出することができる。
尚、容器は患者毎のバーコードシールを添貼した規格品を使用するものとし、その内径面積Ｓをマイクロコンピュータ41に登録しておくものである。
【００１５】
そして、この内径面積Ｓをマイクロコンピュータ41に登録するに際しては、尿測定親機15から通信によって行うこととしている。
更に、尿量の値Ｖと重量検出器31で測定した重量から尿比重を算出する。
この尿比重Ｔは、測定重量Ｇから容器重量ｇを引いて液体重量ｇxを算出し、この液体重量ｇxを尿量Ｖで割ることにより算出される。
【００１６】
尚、容器重量ｇは、尿測定親機15からの通信により予めマイクロコンピュータ41に登録しておくものである。
そして、マイクロコンピュータ41は、患者毎の尿量Ｖ及び及び尿比重Ｔを記憶すると共に、測定時刻を合わせて記憶する。
この患者毎の尿量Ｖ及び及び尿比重Ｔと測定時刻のデータは、数十回分のデータを尿測定子機21のマイクロコンピュータ41に記憶させ、順次、古いデータを最新の測定データに書き換えるものである。
【００１７】
このように、各尿測定子機21には患者毎の数十回分のデータを記憶させるため、尿測定親機15と尿測定子機21との通信は、所要時間毎に、順次、各尿測定子機21から各患者毎の尿量Ｖ及び及び尿比重Ｔと測定時刻のデータを患者コード毎に尿測定親機15に移送すれば足りる。
この通信は、通信ケーブル43により尿測定親機15と各尿測定子機21とを接続して行う場合のみでなく、無線通信により行うこともできる。
【００１８】
又、データを尿測定親機15に移送するに際し、前回のデータ移送後に尿測定子機21に蓄積されたデータのみを移送し、尿測定親機15からは所定時間毎にデータの取り込みを行う場合のみでなく、尿測定子機21に新たなデータが蓄積されたとき、直ちに尿測定子機21の新たなデータを読み込むようにする場合や、尿測定親機15のキーボード操作などにより、尿測定子機21の最新のデータを読み込むようにすることもできる。
【００１９】
そして、尿測定親機15では、患者毎のデータとして、尿量Ｖ及び及び尿比重Ｔのみでなく、Ｐｈ値、糖値など、臨床検査で検出した検査値と合わせてカルテとするものである。
尚、尿測定子機21で尿量や尿比重を測定するに際し、患者コードを識別するために前記実施の形態では患者コード入力手段としてのバーコードリーダー37を測定収納室27に設けているも、他の患者コード入力手段としては、表示部25をタッチパネル式とし、病室内の患者名を液晶表示部25に表示しておき、患者が自己の氏名の位置をタッチすることにより患者コードをマイクロコンピュータ41に入力するようにすることもある。
【００２０】
尚、この患者コードと患者氏名との対応コードデータも、尿測定親機15から各尿測定子機21に通信回線によって予め登録しておくものである。このように、タッチパネル式液晶表示装置を表示部25に用いれば、患者の氏名の表示のみでなく、尿検査に際しての指示なども表示することが容易となる。又、非接触型液面高さ測定器35としては、超音波液面計に限ることなく、光電式液面距離計を用いる場合や、透明容器とフォトカプラなどの遮光型高さ測定装置などを用いることもできる。
【００２１】
【発明の効果】
本発明は、重量検出器と非接触型液面高さ測定器とを備えると共に、尿量及び尿比重を算出して記憶するマイクロコンピュータも備えた尿測定子機の複数個と、尿測定親機とを接続した尿測定装置とであるから、各尿測定子機で尿の測定を正しく行ってデータを記憶することができる。
【００２２】
又、このデータは、通信回線により尿測定親機に移送できるため、尿測定親機内でのデータ加工により種々のカルテとして効率的に利用することができる。
そして、各尿測定子機でも所要回数の測定データを記憶しているため、尿測定親機との通信が遮断された場合であっても、通信の回復後にデータを尿測定親機に移すことができる。
【００２３】
更に、尿測定子機は、非接触型液面高さ測定器と重量検出器及び患者コード入力手段とマイクロコンピュータを有するものとしているため、保守が容易であり、複数個の尿測定子機を有する尿測定装置を容易且つ安価に提供することができる。
【図面の簡単な説明】
【図１】本発明に係る尿測定装置を示す概略図。
【図２】本発明に係る尿測定装置の尿測定子機の一例を示す外観図。
【図３】本発明に係る尿測定装置の尿測定子機の一例を示す断面図。
【符号の説明】
１０  尿測定装置                      １５  尿測定親機
２１  尿測定子機
２３  開閉扉                          ２５  表示部
２７  測定収納室                      ３１  重量検出器
３３  台座部                          ３５  液面高さ測定器
３７  バーコードリーダー              ４１  マイクロコンピュータ
４３  通信ケーブル                    ５１  電源部
５３  電源線                          ５５  モータ
５７  ファン
【図１】
0004608064.tif 000002
【図２】
0004608064.tif 000003
【図３】
0004608064.tif 000004